(57)【要約】【課題】録画装置が計時する装置内の時刻の修正を効率良く行なう録画装置を提供する。【解決手段】制御部７は、記憶部６に記憶する予約録画情報の予約録画開始及び終了時刻とタイマ５が計時する時刻を管理する。タイマ５が予約録画開始及び終了時刻よりも所定時間前の時刻をそれぞれ計時すると、制御部２はチューナ部２が抽出した標準時情報信号から、現在時刻を取得する。制御部７は、タイマ５が計時する時刻を取得した現在時刻にあわせる。あわせた時刻が予約録画開始及び終了時刻になると、制御部７は、録画部３に予約録画開始及び予約録画終了を指示する。【選択図】図３
2009071639.tif 000002
【特許請求の範囲】
【請求項１】
選局されているチャンネルで放送されているディジタルテレビ放送信号を受信する受信手段と、
録画チャンネル、録画開始時刻、および録画終了時刻を含む予約録画情報を記憶する予約録画情報記憶手段と、
タイマで計時している時刻に基づいて、前記予約録画情報記憶手段が記憶している前記予約録画情報にかかるディジタルテレビ放送信号を前記受信手段で受信し、放送されている番組を録画する録画手段と、を備えた録画装置において、
前記受信手段が受信しているディジタルテレビ放送信号に含まれている現在時刻を示す標準時情報信号を抽出する抽出手段と、
前記タイマで計時している時刻が、前記予約録画情報記憶手段が記憶している前記予約録画情報の録画開始時刻の第１の設定時間前になったときに、前記受信手段にディジタルテレビ放送信号を受信させるとともに、前記抽出手段に標準時情報信号を抽出させ、現在時刻を取得する現在時刻取得手段と、
前記タイマが計時している時刻を、前記現在時刻取得手段が取得した現在時刻に合わせる時刻合わせ手段と、を備えたことを特徴とする録画装置。
【請求項２】
前記時刻合わせ手段が前記タイマの時刻合わせを行った時刻、およびこの直前に前記タイマが計時していた時刻と、このときの標準時情報信号が示す現在時刻と、のズレ時間を対応付けて記憶するズレ時間記憶手段と、
前記ズレ時間記憶手段の記憶内容に基づいて、所定時間あたりにおける前記タイマの計時誤差を算出する算出手段と、
前記時刻合わせ手段が前記タイマの時刻合わせを行った時刻から、予め定めた時間経過する毎に、前記算出手段が算出した所定時間あたりにおける前記タイマの計時誤差に基づいて、前記タイマが計時している時刻を補正する時刻補正手段と、を備えたことを特徴とする請求項１に記載の録画装置。
【請求項３】
前記現在時刻取得手段は、前記タイマで計時している時刻が、前記予約録画情報記憶手段が記憶している前記予約録画情報の録画終了時刻の第２の設定時間前になったときに、前記抽出手段に標準時情報信号を抽出させ、現在時刻を取得する手段である、ことを特徴とする請求項１または２に記載の録画装置。
【発明の詳細な説明】
【技術分野】
【０００１】
本発明は、番組の予約録画情報に従って、放送される番組の予約録画を行なう録画装置に関する。
【背景技術】
【０００２】
従来、録画装置には、時刻を計時するタイマが設けられている。予約録画開始時刻を、このタイマが計時する時刻が計時すると、番組の予約録画を開始する。そして、予約録画終了の時刻を、このタイマが計時する時刻が計時すると、番組の予約録画を終了する。そのため、タイマが計時する時刻と現在時刻との間にズレが生じていると、番組の予約録画の開始時刻及び終了時刻が現在時刻に対してズレてしまい、番組の予約録画が適正に行なえない。
【０００３】
この問題を解決するため、ディジタル放送信号中に含まれている現在時刻を示す標準時情報信号を利用して、タイマが計時する時刻と現在時刻とのズレ時間を修正するする録画装置が提案されている（特許文献１参照）
【特許文献１】特開２００６−７１５６９号公報
【発明の開示】
【発明が解決しようとする課題】
【０００４】
しかしながら、特許文献１に記載されている構成は、単に所定の時間毎にタイマが計時する時刻を修正するだけである。したがって、予約録画処理の開始、あるいは終了時にタイマが計時する時刻と現在時刻との間にズレが生じている可能性がある。上述したように、タイマが計時する時刻と現在時刻との間にズレが生じていると、ユーザが所望する番組の予約録画が適正に行なえない。
【０００５】
即ち、特許文献１は、予約録画処理に係る番組の予約録画について、十分な考慮がなされていなかった。
【０００６】
本発明の目的は、上記問題に鑑み、録画装置内の現在時刻の修正を効率良く行ない、所望の番組の予約録画処理の開始及び終了を適正に行なうことのできる録画装置を提供することである。
【課題を解決するための手段】
【０００７】
本発明は上記課題を解決するために、以下の構成である。
【０００８】
受信手段が、ディジタルテレビ放送信号を受信する。そして、受信したディジタルテレビ放送信号に含まれている現在時刻を示す標準時情報信号を抽出手段が抽出する。現在時刻取得手段は、タイマが計時する時刻が、予約録画情報記憶手段が記憶する予約録画情報の予約録画開始時刻の第１の設定時間前になった時、受信手段にディジタルテレビ放送信号を受信させると共に、抽出手段に標準時情報信号を抽出させ、現在時刻を取得する。そして、時刻合わせ手段が、タイマが計時する時刻を現在時刻取得手段が取得した現在時刻に合わせる。
【０００９】
この構成では、予約録画処理に係る番組の予約録画開始時刻よりも第１の設定時間前にタイマが計時する時刻を現在時刻に合わせる。この第１の設定時間は数分程度である。したがって、予約録画処理における番組の予約録画開始時刻、及び終了時刻を現在時刻にあわせることができる。また、無駄なタイミングでタイマが計時する時刻を現在時刻に合わせることがない。
【発明の効果】
【００１０】
本発明では、録画装置内の現在時刻の修正を効率良く行ない、所望の番組の予約録画処理の開始及び終了を適正に行なうことができる。
【発明を実施するための最良の形態】
【００１１】
以下、本発明の実施形態である録画装置を説明する。
【００１２】
図１は録画装置の構成を示すブロック図である。録画装置１は、例えば、ＤＶＤレコーダ、ブルーレイディスクレコーダ、ＶＣＲ、ハードディスクレコーダである。この録画装置１は、チューナ部２、録画部３、操作部４、タイマ５、記憶部６、制御部７を備えている。
【００１３】
チューナ部２はアンテナ２０と接続する。アンテナ２０はディジタル放送信号等を受信し、チューナ部２に送信する。チューナ部２は、ディジタル放送信号をデコードし、映像信号及び音声信号を録画部３に送信する。また、ディジタル放送信号から現在時刻を示す標準時情報信号を取得し、制御部７へ送信する。
【００１４】
録画部３は、制御部７からの指示を受け、チューナ部２から送信された映像信号及び音声信号を記録媒体に録画する。記録媒体は、例えば、ＤＶＤ、ブルーレイディスク、ビデオカセットテープ、ハードディスクである。また、記録媒体に録画されているコンテンツデータの再生機能や再生信号を出力する機能を備えている。
【００１５】
操作部４は、録画装置１をユーザが操作するために必要な各種機能キーを備えている、また、図示していないリモコン装置からの入力も受け付ける。操作部４は操作された操作キー毎、あるいは、図示していないリモコン装置からの入力信号毎に対応した信号を制御部７へ転送する。
【００１６】
タイマ５はタイマ機能を備え、装置内の時刻（年，月，時刻，分，秒）を計時する。また、時刻を制御部７へ通知する。
【００１７】
記憶部６は、ユーザが操作部４を通じて入力した予約録画開始時刻及び終了時刻を含む予約録画情報を記憶する。上記記憶する内容は後述する。記憶部６は、本体に内蔵されているメモリ（例えば、ＥＥＰＲＯＭやＳＤＲＡＭ）であっても良いし、本体に対して着脱自在なメモリカード（例えば、ＳＤメモリカード）であっても良い。また、記憶部６は不揮発性のものが好ましいが、バッテリバックアップされた揮発性のメモリで構成しても良い。
【００１８】
制御部７はＣＰＵ等で構成されており、録画装置１全体を制御する。そして、タイマ５が計時する時刻が記憶部６に記憶する予約録画開始時刻になったことを判定すると、録画部３に番組の録画処理の開始を指示する。また、タイマ５が計時する時刻が、記憶部６に記憶する予約録画終了時刻になったことを判定すると、録画部３に番組の録画処理の終了を指示する。また、チューナ部２から入力された標準時情報信号から現在時刻を取得し、タイマ５が計時する時刻を取得した現在時刻に合わせる。また、現在時刻を合わせた直前にタイマ５が計時していた時刻と、タイマ５が計時する時刻と取得した現在時刻とのズレ時間と、ズレ時間が発生した時間間隔と、を対応付けて記憶部６に記憶する。また、制御部７では、ズレ時間から所定時間当りのタイマ５の計時誤差を算出し、これを記憶部６に記憶する。そして、この計時誤差に基づいてタイマ５が計時する時刻の補正を行なう。制御部７が行なう各機能の詳細は後述する。
【００１９】
まず、記憶部６が記憶する内容について説明する。
【００２０】
制御部７は、タイマが計時する時刻が記憶部６に記憶する予約録画開始時刻及び終了時刻よりも前の予め定めた第１の設定時間前になると、時刻合わせを行なう。この第１の設定時間は数分である。そして、タイマ５が計時する時刻と、チューナ部から取得した現在時刻との間のズレ時間を計測する。計測したズレ時間と時刻合わせを行なった時間間隔から、予め定めた所定の時間間隔毎のタイマ５の計時誤差を算出する。そして、これらと、時刻合わせを行なった時刻と、時刻合わせを行なう直前にタイマ５が計時していた時刻と、を対応付けて、図２で示すテーブル形式で記憶部６に記憶する。
【００２１】
図２では、ズレ時間の単位は秒で示し、時間間隔は前回時刻合わせを行なった現在時刻と、今回時刻合わせを行なった現在時刻との時間間隔であり、単位は分で示している。そして、計時誤差は予め定めた所定の時間間隔を１分とし、単位は秒で示している。
【００２２】
図２において、今回時刻合わせを行なった時刻が２００７／８／２１／０８：００：００であり、その時にタイマ５が計時していた時刻が２００７／８／２１／０７：５８：００である。そして、この時の現在時刻とタイマ５が計時する時刻とのズレ時間は１２０秒であると制御部７は計測する。そして、記憶部６には、前回時刻合わせを行なった時刻が２００７／８／２１／００：００：００であると記憶されているため、制御部７は、前回と今回とで時刻合わせを行なった時間間隔は４８０分であると計測し、計測した時間間隔を記憶部６に記憶する。そして、制御部７は、この記憶部６に記憶した時間間隔とズレ時間とに基づいて、１分当りでの現在時刻に対してのタイマ５の計時誤差を算出し、記憶部６に記憶する。制御部７は上記の通り、図２のテーブルの各項目に対応した値を測定及び算出する。
【００２３】
制御部７は、記憶部６が記憶するこれまでの計時誤差に基づいて、例えば、２時間毎、４時間毎にタイマ５の計時誤差を算出し、タイマ５の時刻合わせを行なう。
【００２４】
具体的には、以下の方法で行う。
【００２５】
制御部７は、タイマ５が計時する時刻が、前回現在時刻に合わせた時刻から予め定めた所定の時間経過する毎に判定する。これまでに記憶部６で記憶した単位時間当たりの計時誤差のうち、最大の計時誤差と最小の計時誤差を利用して、この計時誤差の中間値を求める。求めた中間値を単位時間当たりのタイマ５が計時する時刻と現在時刻との計時誤差であるとする。この中間値をタイマ５が計時する時刻に加算し、タイマ５が計時する時刻の時刻合わせを行なう。
【００２６】
これにより、タイマ５が計時する時刻と現在時刻との差を小さくすることができる。
【００２７】
次に、録画装置１における予約録画処理の動作を図３、図４のフローチャートを利用して説明する。録画装置１は以下のステップを実行すると共に上述した計時誤差の算出を行なう。
【００２８】
図３は録画装置１が行なう予約録画処理開始の動作を示すフローチャートであり、図４は、録画装置１が行なう予約録画処理終了の動作を示すフローチャートである。
【００２９】
図３では、制御部７は、タイマ５が計時する時刻を確認する（Ｓ１）。この時刻が記憶部６に記憶する予約録画開始時刻の予め定めた第１の時間前、例えば、１０分前、５分前、３０秒前になる（Ｓ２）と、アンテナ２０が受信したディジタル放送信号に含まれている標準時情報信号をチューナ部２が抽出する。制御部７は抽出した標準時情報信号から現在時刻を取得する。制御部７は、取得した現在時刻にタイマ５が計時する時刻を合わせる（Ｓ３）。そして、この時の時刻と予約録画開始時刻とを確認し（Ｓ４）、タイマ５が計時する時刻が予約録画処理開始時刻の予め定めた所定の時間以内であるかを判定する（Ｓ５）。ステップＳ５における予め定めた所定の時間とは、ステップＳ２において定めた第１の時間よりも短い時間である。ステップＳ５において、予め定めた所定の時間以上である時には、再びステップＳ１〜ステップＳ４の判定を行なう。そして、制御部７が、予め定めた所定の時間以内であると判定し、タイマ５が計時する時刻が、記憶部６に記憶する予約録画開始時刻を計時すると、録画部３に指示を出し番組の録画処理を開始する（Ｓ６）。
【００３０】
その後、図４では、制御部７は、タイマ５が計時する時刻を確認する（Ｓ１１）。この時刻が記憶部６に記憶する予約録画終了時刻の予め定めた第２の時間前、例えば、１０分前、５分前、３０秒前になる（Ｓ１２）と、アンテナ２０が受信したディジタル放送信号に含まれている標準時情報信号をチューナ部２が抽出する。制御部７は抽出した標準時情報信号から現在時刻を取得する。制御部７は、取得した現在時刻にタイマ５が計時する時刻を合わせる（Ｓ１３）。そして、この時の時刻と予約録画終了時刻とを確認し（Ｓ１４）、タイマ５が計時する時刻が、予約録画処理開始時刻の予め定めた所定の時間以内であるかを判定する（Ｓ１５）。ステップＳ１５における予め定めた所定の時間とは、ステップＳ１２において定めた第２の時間よりも短い時間である。ステップＳ１５において、予め定めた所定の時間以上である時には、再びステップＳ１１〜ステップＳ１４の判定を行なう。そして、ステップＳ１５において、制御部７が、予め定めた所定の時間以内であると判定し、タイマ５が計時する時刻が、記憶部６に記憶する予約録画終了時刻を計時すると、録画部３に指示を出し番組の録画処理を終了する（Ｓ１６）。
【００３１】
こうすることにより、予約録画処理に係る番組の予約録画開始時刻よりも第１の設定時間前にタイマが計時する時刻を現在時刻に合わせる。この第１の設定時間は数分程度である。したがって、予約録画処理における番組の予約録画開始時刻を現在時刻にあわせることができる。また、無駄なタイミングでタイマが計時する時刻を現在時刻に合わせることがない。
【００３２】
また、予約録画処理に終了に係る番組の予約録画終了時刻よりも第２の設定時間前にタイマが計時する時刻を現在時刻に合わせる。この第２の設定時間は数分程度である。したがって、予約録画処理における番組の予約録画終了時刻を現在時刻に合わせることができる。また、無駄なタイミングでタイマが計時する時刻を現在時刻に合わせることがない。
【図面の簡単な説明】
【００３３】
【図１】録画装置の構成ブロック図である。
【図２】記憶部が記憶する記憶内容を示す図である。
【図３】録画装置が行なう予約録画開始時の動作を示すフローチャートである。
【図４】録画装置が行なう予約録画終了時の動作を示すフローチャートである。
【符号の説明】
【００３４】
１…録画装置
２…チューナ部
３…録画部
４…操作部
５…タイマ
６…記憶部
７…制御部
２０…アンテナ
【図１】
2009071639.tif 000003
【図２】
2009071639.tif 000004
【図３】
2009071639.tif 000005
【図４】
2009071639.tif 000006